(57)【要約】【課題】音楽機器と外部機器とを接続した場合に、両機器で共に設定できる値を容易に調整する。【解決手段】ポータブル音楽機器１と外部アンプ２とを４極のステレオミニプラグケーブル４で接続する。外部アンプ２側では、ライン入力端子２１におけるプラグの接続を検出すると、制御信号をステレオミニプラグケーブル４の１極を使って、ポータブル音楽機器１に出力する。ポータブル音楽機器１側では、制御信号を解析し、外部アンプ２の接続を検出すると、ポータブル音楽機器１の音量値を一定にして、音量キー操作を禁止にする。ユーザは、外部アンプ２側のみで音量値を設定する。【選択図】図１
2006339848.tif 000002
【特許請求の範囲】
【請求項１】
所定の可変量の第１の変更値に基づき音声信号を変換する音響装置と、前記変換された音声信号を前記可変量の第２の変更値に基づき変換する外部装置と、を備える可変量調整システムであって、
前記音響装置は、
音声信号を出力する音声信号出力手段と、
ユーザの操作に応じて、前記第１の変更値を設定する第１の変更値設定手段と、
前記外部装置の接続を検出する装置接続検出手段と、
前記装置接続検出手段が接続を検出したときに、前記第１の変更値を所定の値に設定する変更値固定手段と、
前記装置接続検出手段が接続を検出しないときには前記第１の変更値設定手段が設定した変更値に基づいて、前記装置接続検出手段が接続を検出したときには前記変更値固定手段が設定した変更値に基づいて、前記音声信号出力手段が出力した音声信号を変換する第１の音声信号変換手段と、を備え、
前記外部装置は、
ユーザの操作に応じて、前記第２の変更値を設定する第２の変更値設定手段と、
前記第１の音声信号変換手段が変換した音声信号を、前記第２の変更値設定手段が設定した変更値に基づき変換する第２の音声信号変換手段と、を備える、
ことを特徴とする可変量調整システム。
【請求項２】
前記音響装置は、
前記第１の音声信号変換手段が変換した音声信号を出力する音声信号出力端子を備え、
前記外部装置は、
前記音声信号出力端子と４極以上で接続される音声信号入力端子と、
前記音声信号入力端子への接続を検出する端子接続検出手段と、
前記端子接続検出手段が接続を検出したときに、接続検出信号を前記音声信号入力端子を介して前記音声信号出力端子に出力する接続検出信号出力手段と、を備え、
前記音響装置の前記装置接続検出手段は、前記音声信号出力端子に入力される前記接続検出信号に基づき、前記外部装置の接続を検出する、
ことを特徴とする請求項１に記載の可変量調整システム。
【請求項３】
前記変更値固定手段は、前記装置接続検出手段が接続を検出したときに、前記第１の変更値設定手段による前記第１の変更値の設定を禁止し、前記第１の変更値を所定の値に設定する、
ことを特徴とする請求項１又は２に記載の可変量調整システム。
【請求項４】
所定の可変量の第１の変更値に基づき音声信号を変換する音響装置と、前記変換された音声信号を前記可変量の第２の変更値に基づき変換する外部装置と、を備える可変量調整システムであって、
前記音響装置は、
音声信号を出力する音声信号出力手段と、
ユーザの操作に応じて、前記第１の変更値を設定する第１の変更値設定手段と、
前記音声信号出力手段が出力した音声信号を、前記第１の変更値設定手段が設定した変更値に基づき変換する第１の音声信号変換手段と、を備え、
前記外部装置は、
ユーザの操作に応じて、前記第２の変更値を設定する第２の変更値設定手段と、
前記音響装置の接続を検出する装置接続検出手段と、
前記装置接続検出手段が接続を検出したときに、前記第２の変更値を所定の値に設定する変更値固定手段と、
前記装置接続検出手段が接続を検出しないときには前記第２の変更値設定手段が設定した変更値に基づいて、前記装置接続検出手段が接続を検出したときには前記変更値固定手段が設定した変更値に基づいて、前記第１の音声信号変換手段が変換した音声信号を変換する第２の音声信号変換手段と、を備える、
ことを特徴とする可変量調整システム。
【請求項５】
前記音響装置は、
前記第１の音声信号変換手段が変換した音声信号を出力する音声信号出力端子と、
前記音声信号出力端子への接続を検出する端子接続検出手段と、
前記端子接続検出手段が接続を検出したときに、接続検出信号を前記音声信号出力端子に出力する接続検出信号出力手段と、を備え、
前記外部装置は、
前記音声信号出力端子と４極以上で接続される音声信号入力端子を備え、
前記装置接続検出手段は、前記音声信号出力端子を介して前記音声信号入力端子に入力される前記接続検出信号に基づき、前記音響装置の接続を検出する、
ことを特徴とする請求項４に記載の可変量調整システム。
【請求項６】
前記変更値固定手段は、前記装置接続検出手段が接続を検出したときに、前記第２の変更値設定手段による前記第２の変更値の設定を禁止し、前記第２の変更値を所定の値に設定する、
ことを特徴とする請求項４又は５に記載の可変量調整システム。
【請求項７】
第１の音量値に基づき音声信号を増幅する音響装置と、前記増幅された音声信号を第２の音量値に基づき増幅する外部装置と、を備える音量調整システムであって、
前記音響装置は、
音声信号を出力する音声信号出力手段と、
ユーザの操作に応じて、前記第１の音量値を設定する第１の音量値設定手段と、
前記外部装置の接続を検出する装置接続検出手段と、
前記装置接続検出手段が接続を検出したときに、前記第１の音量値を所定の値に設定する音量値固定手段と、
前記装置接続検出手段が接続を検出しないときには前記第１の音量値設定手段が設定した音量値に基づいて、前記装置接続検出手段が接続を検出したときには前記音量値固定手段が設定した音量値に基づいて、前記音声信号出力手段が出力した音声信号を増幅する第１の音声信号増幅手段と、を備え、
前記外部装置は、
ユーザの操作に応じて、前記第２の音量値を設定する第２の音量値設定手段と、
前記第１の音声信号増幅手段が増幅した音声信号を、前記第２の音量値設定手段が設定した音量値に基づき増幅する第２の音声信号増幅手段と、を備える、
ことを特徴とする音量調整システム。
【請求項８】
前記音響装置は、
前記第１の音声信号増幅手段が増幅した音声信号を出力する音声信号出力端子を備え、
前記外部装置は、
前記音声信号出力端子と４極以上で接続される音声信号入力端子と、
前記音声信号入力端子への接続を検出する端子接続検出手段と、
前記端子接続検出手段が接続を検出したときに、接続検出信号を前記音声信号入力端子を介して前記音声信号出力端子に出力する接続検出信号出力手段と、を備え、
前記音響装置の前記装置接続検出手段は、前記音声信号出力端子に入力される前記接続検出信号に基づき、前記外部装置の接続を検出する、
ことを特徴とする請求項７に記載の音量調整システム。
【請求項９】
前記音量値固定手段は、前記装置接続検出手段が接続を検出したときに、前記第１の音量値設定手段による前記第１の音量値の設定を禁止し、前記第１の音量値を所定の値に設定する、
ことを特徴とする請求項７又は８に記載の音量調整システム。
【請求項１０】
前記音量値固定手段は、前記装置接続検出手段が接続を検出したときに、前記第１の音量値を最大値に設定する、
ことを特徴とする請求項７乃至９の何れか１項に記載の音量調整システム。
【請求項１１】
第１の音量値に基づき音声信号を増幅する音響装置と、前記増幅された音声信号を第２の音量値に基づき増幅する外部装置と、を備える音量調整システムであって、
前記音響装置は、
音声信号を出力する音声信号出力手段と、
ユーザの操作に応じて、前記第１の音量値を設定する第１の音量値設定手段と、
前記音声信号出力手段が出力した音声信号を、前記第１の音量値設定手段が設定した音量値に基づき増幅する第１の音声信号増幅手段と、を備え、
前記外部装置は、
ユーザの操作に応じて、前記第２の音量値を設定する第２の音量値設定手段と、
前記音響装置の接続を検出する装置接続検出手段と、
前記装置接続検出手段が接続を検出したときに、前記第２の音量値を所定の値に設定する音量値固定手段と、
前記装置接続検出手段が接続を検出しないときには前記第２の音量値設定手段が設定した音量値に基づいて、前記装置接続検出手段が接続を検出したときには前記音量値固定手段が設定した音量値に基づいて、前記第１の音声信号増幅手段が増幅した音声信号を増幅する第２の音声信号増幅手段と、を備える、
ことを特徴とする音量調整システム。
【請求項１２】
前記音響装置は、
前記第１の音声信号増幅手段が増幅した音声信号を出力する音声信号出力端子と、
前記音声信号出力端子への接続を検出する端子接続検出手段と、
前記端子接続検出手段が接続を検出したときに、接続検出信号を前記音声信号出力端子に出力する接続検出信号出力手段と、を備え、
前記外部装置は、
前記音声信号出力端子と４極以上で接続される音声信号入力端子を備え、
前記装置接続検出手段は、前記音声信号出力端子を介して前記音声信号入力端子に入力される前記接続検出信号に基づき、前記音響装置の接続を検出する、
ことを特徴とする請求項１１に記載の音量調整システム。
【請求項１３】
前記音量値固定手段は、前記装置接続検出手段が接続を検出したときに、前記第２の音量値設定手段による前記第２の音量値の設定を禁止し、前記第２の音量値を所定の値に設定する、
ことを特徴とする請求項１１又は１２に記載の音量調整システム。
【請求項１４】
前記音量値固定手段は、前記装置接続検出手段が接続を検出したときに、前記第２の音量値を最大値に設定する、
ことを特徴とする請求項１１乃至１３の何れか１項に記載の音量調整システム。
【請求項１５】
第１のイコライザ設定値に基づき音声信号を変換する音響装置と、前記変換された音声信号を第２のイコライザ設定値に基づき変換する外部装置と、を備えるイコライザ調整システムであって、
前記音響装置は、
音声信号を出力する音声信号出力手段と、
ユーザの操作に応じて、前記第１のイコライザ設定値を決定する第１の設定値決定手段と、
前記外部装置の接続を検出する装置接続検出手段と、
前記装置接続検出手段が接続を検出したときに、前記第１のイコライザ設定値を所定の値に決定する設定値固定手段と、
前記装置接続検出手段が接続を検出しないときには前記第１の設定値決定手段が決定したイコライザ設定値に基づいて、前記装置接続検出手段が接続を検出したときには前記設定値固定手段が決定したイコライザ設定値に基づいて、前記音声信号出力手段が出力した音声信号を変換する第１の音声信号変換手段と、を備え、
前記外部装置は、
ユーザの操作に応じて、前記第２のイコライザ設定値を決定する第２の設定値決定手段と、
前記第１の音声信号変換手段が変換した音声信号を、前記第２の設定値決定手段が決定したイコライザ設定値に基づき変換する第２の音声信号変換手段と、を備える、
ことを特徴とするイコライザ調整システム。
【請求項１６】
前記音響装置は、
前記第１の音声信号変換手段が変換した音声信号を出力する音声信号出力端子を備え、
前記外部装置は、
前記音声信号出力端子と４極以上で接続される音声信号入力端子と、
前記音声信号入力端子への接続を検出する端子接続検出手段と、
前記端子接続検出手段が接続を検出したときに、接続検出信号を前記音声信号入力端子を介して前記音声信号出力端子に出力する接続検出信号出力手段と、を備え、
前記音響装置の前記装置接続検出手段は、前記音声信号出力端子に入力される前記接続検出信号に基づき、前記外部装置の接続を検出する、
ことを特徴とする請求項１５に記載のイコライザ調整システム。
【請求項１７】
前記設定値固定手段は、前記装置接続検出手段が接続を検出したときに、前記第１の設定値決定手段による前記第１のイコライザ設定値の決定を禁止し、前記第１のイコライザ設定値を所定の値に決定する、
ことを特徴とする請求項１５又は１６に記載のイコライザ調整システム。
【請求項１８】
前記第１の音声信号変換手段は、前記装置接続検出手段が接続を検出したときに、音声信号のイコライザ変換を行わない、
ことを特徴とする請求項１５乃至１７の何れか１項に記載のイコライザ調整システム。
【請求項１９】
第１のイコライザ設定値に基づき音声信号を変換する音響装置と、前記変換された音声信号を第２のイコライザ設定値に基づき変換する外部装置と、を備えるイコライザ調整システムであって、
前記音響装置は、
音声信号を出力する音声信号出力手段と、
ユーザの操作に応じて、前記第１のイコライザ設定値を決定する第１の設定値決定手段と、
前記音声信号出力手段が出力した音声信号を、前記第１の設定値決定手段が決定したイコライザ設定値に基づき変換する第１の音声信号変換手段と、を備え、
前記外部装置は、
ユーザの操作に応じて、前記第２のイコライザ設定値を決定する第２の設定値決定手段と、
前記音響装置の接続を検出する装置接続検出手段と、
前記装置接続検出手段が接続を検出したときに、前記第２のイコライザ設定値を所定の値に決定する設定値固定手段と、
前記装置接続検出手段が接続を検出しないときには前記第２の設定値決定手段が決定したイコライザ設定値に基づいて、前記装置接続検出手段が接続を検出したときには前記設定値固定手段が決定したイコライザ設定値に基づいて、前記第１の音声信号変換手段が変換した音声信号を変換する第２の音声信号変換手段と、を備える、
ことを特徴とするイコライザ調整システム。
【請求項２０】
前記音響装置は、
前記第１の音声信号変換手段が変換した音声信号を出力する音声信号出力端子と、
前記音声信号出力端子への接続を検出する端子接続検出手段と、
前記端子接続検出手段が接続を検出したときに、接続検出信号を前記音声信号出力端子に出力する接続検出信号出力手段と、を備え、
前記外部装置は、
前記音声信号出力端子と４極以上で接続される音声信号入力端子を備え、
前記装置接続検出手段は、前記音声信号出力端子を介して前記音声信号入力端子に入力される前記接続検出信号に基づき、前記音響装置の接続を検出する、
ことを特徴とする請求項１９に記載のイコライザ調整システム。
【請求項２１】
前記設定値固定手段は、前記装置接続検出手段が接続を検出したときに、前記第２の設定値設定手段による前記第２のイコライザ設定値の決定を禁止し、前記第２のイコライザ設定値を所定の値に決定する、
ことを特徴とする請求項１９又は２０に記載のイコライザ調整システム。
【請求項２２】
前記第２の音声信号変換手段は、前記装置接続検出手段が接続を検出したときに、音声信号のイコライザ変換を行わない、
ことを特徴とする請求項１９乃至２１の何れか１項に記載のイコライザ調整システム。
【請求項２３】
音声信号を取得する音声信号取得手段と、
ユーザの操作に応じて、所定の可変量の第１の変更値を設定する変更値設定手段と、
外部装置が接続され、該外部装置からの信号の入力を受け付ける信号端子と、
前記信号端子に入力される信号に基づき、接続された外部装置が、入力音声信号を前記可変量の第２の変更値に基づき変換する外部可変量調整装置であるか否かを判別する外部装置判別手段と、
接続された外部装置が外部可変量調整装置であると前記外部装置判別手段により判別されたときに、前記第１の変更値を所定の値に設定する変更値固定手段と、
接続された外部装置が外部可変量調整装置でないと前記外部装置判別手段により判別されたときには前記変更値設定手段が設定した変更値に基づいて、接続された外部装置が外部可変量調整装置であると前記外部装置判別手段により判別されたときには前記変更値固定手段が設定した変更値に基づいて、前記音声信号取得手段が取得した音声信号を変換する音声信号変換手段と、
前記音声信号変換手段が変換した音声信号を前記信号端子に出力する変換音声信号出力手段と、
を備える可変量調整装置。
【請求項２４】
ユーザの操作に応じて、所定の可変量の第１の変更値を設定する変更値設定手段と、
外部装置が接続され、該外部装置から音声信号と制御信号とを受信する信号端子と、
前記信号端子が受信した制御信号に基づき、接続された外部装置が、音声信号を前記可変量の第２の変更値に基づき変換する外部可変量調整装置であるか否かを判別する外部装置判別手段と、
接続された外部装置が外部可変量調整装置であると前記外部装置判別手段により判別されたときに、前記第１の変更値を所定の値に設定する変更値固定手段と、
接続された外部装置が外部可変量調整装置でないと前記外部装置判別手段により判別されたときには前記変更値設定手段が設定した変更値に基づいて、接続された外部装置が外部可変量調整装置であると前記外部装置判別手段により判別されたときには前記変更値固定手段が設定した変更値に基づいて、前記信号端子が受信した音声信号を変換する音声信号変換手段と、
を備える可変量調整装置。
【請求項２５】
前記変更値固定手段は、接続された外部装置が外部可変量調整装置であると前記外部装置判別手段により判別されたときに、前記変更値設定手段による前記第１の変更値の設定を禁止し、前記第１の変更値を所定の値に設定する、
ことを特徴とする請求項２３又は２４に記載の可変量調整装置。
【請求項２６】
音声信号を取得する音声信号取得手段と、
ユーザの操作に応じて、第１の音量値を設定する音量値設定手段と、
外部装置が接続され、該外部装置からの信号の入力を受け付ける信号端子と、
前記信号端子に入力される信号に基づき、接続された外部装置が、入力音声信号を第２の音量値に基づき増幅する外部音量調整装置であるか否かを判別する外部装置判別手段と、
接続された外部装置が外部音量調整装置であると前記外部装置判別手段により判別されたときに、前記第１の音量値を所定の値に設定する音量値固定手段と、
接続された外部装置が外部音量調整装置でないと前記外部装置判別手段により判別されたときには前記音量値設定手段が設定した音量値に基づいて、接続された外部装置が外部音量調整装置であると前記外部装置判別手段により判別されたときには前記音量値固定手段が設定した音量値に基づいて、前記音声信号取得手段が取得した音声信号を増幅する音声信号増幅手段と、
前記音声信号増幅手段が増幅した音声信号を前記信号端子に出力する増幅音声信号出力手段と、
を備える音量調整装置。
【請求項２７】
ユーザの操作に応じて、第１の音量値を設定する音量値設定手段と、
外部装置が接続され、該外部装置から音声信号と制御信号とを受信する信号端子と、
前記信号端子が受信した制御信号に基づき、接続された外部装置が、音声信号を第２の音量値に基づき増幅する外部音量調整装置であるか否かを判別する外部装置判別手段と、
接続された外部装置が外部音量調整装置であると前記外部装置判別手段により判別されたときに、前記第１の音量値を所定の値に設定する音量値固定手段と、
接続された外部装置が外部音量調整装置でないと前記外部装置判別手段により判別されたときには前記音量値設定手段が設定した音量値に基づいて、接続された外部装置が外部音量調整装置であると前記外部装置判別手段により判別されたときには前記音量値固定手段が設定した音量値に基づいて、前記信号端子が受信した音声信号を増幅する音声信号増幅手段と、
を備える音量調整装置。
【請求項２８】
前記音量値固定手段は、接続された外部装置が外部音量調整装置であると前記外部装置判別手段により判別されたときに、前記音量値設定手段による前記第１の音量値の設定を禁止し、前記第１の音量値を所定の値に設定する、
ことを特徴とする請求項２６又は２７に記載の音量調整装置。
【請求項２９】
前記音量値固定手段は、接続された外部装置が外部音量調整装置であると前記外部装置判別手段により判別されたときに、前記第１の音量値を最大値に設定する、
ことを特徴とする請求項２６乃至２８の何れか１項に記載の音量調整装置。
【請求項３０】
音声信号を取得する音声信号取得手段と、
ユーザの操作に応じて、第１のイコライザ設定値を決定する設定値決定手段と、
外部装置が接続され、該外部装置からの信号の入力を受け付ける信号端子と、
前記信号端子に入力される信号に基づき、接続された外部装置が、入力音声信号を第２のイコライザ設定値に基づき変換する外部イコライザ調整装置であるか否かを判別する外部装置判別手段と、
接続された外部装置が外部イコライザ調整装置であると前記外部装置判別手段により判別されたときに、前記第１のイコライザ設定値を所定の値に決定する設定値固定手段と、
接続された外部装置が外部イコライザ調整装置でないと前記外部装置判別手段により判別されたときには前記設定値決定手段が決定したイコライザ設定値に基づいて、接続された外部装置が外部イコライザ調整装置であると前記外部装置判別手段により判別されたときには前記設定値固定手段が決定したイコライザ設定値に基づいて、前記音声信号取得手段が取得した音声信号を変換する音声信号変換手段と、
前記音声信号変換手段が変換した音声信号を前記信号端子に出力する変換音声信号出力手段と、
を備えるイコライザ調整装置。
【請求項３１】
ユーザの操作に応じて、第１のイコライザ設定値を決定する設定値決定手段と、
外部装置が接続され、該外部装置から音声信号と制御信号とを受信する信号端子と、
前記信号端子が受信した制御信号に基づき、接続された外部装置が、音声信号を第２のイコライザ設定値に基づき変換する外部イコライザ調整装置であるか否かを判別する外部装置判別手段と、
接続された外部装置が外部イコライザ調整装置であると前記外部装置判別手段により判別されたときに、前記第１のイコライザ設定値を所定の値に決定する設定値固定手段と、
接続された外部装置が外部イコライザ調整装置でないと前記外部装置判別手段により判別されたときには前記設定値決定手段が決定したイコライザ設定値に基づいて、接続された外部装置が外部イコライザ調整装置であると前記外部装置判別手段により判別されたときには前記設定値固定手段が決定したイコライザ設定値に基づいて、前記信号端子が受信した音声信号を変換する音声信号変換手段と、
を備えるイコライザ調整装置。
【請求項３２】
前記設定値固定手段は、接続された外部装置が外部イコライザ調整装置であると前記外部装置判別手段により判別されたときに、前記設定値決定手段による前記第１のイコライザ設定値の決定を禁止し、前記第１のイコライザ設定値を所定の値に決定する、
ことを特徴とする請求項３０又は３１に記載のイコライザ調整装置。
【請求項３３】
前記音声信号変換手段は、接続された外部装置が外部イコライザ調整装置であると前記外部装置判別手段により判別されたときに、音声信号のイコライザ変換を行わない、
ことを特徴とする請求項３０乃至３２の何れか１項に記載のイコライザ調整装置。
【発明の詳細な説明】
【技術分野】
【０００１】
この発明は、可変量調整システム、音量調整システム、イコライザ調整システム、可変量調整装置、音量調整装置、及びイコライザ調整装置に関する。
【背景技術】
【０００２】
近年、小型で携帯可能なポータブル音楽機器を用いて、音楽を楽しむことが行われている。特に、小型のハードディスクやフラッシュメモリを内蔵したタイプのポータブル音楽機器は、大量の音楽を内部に保存しておき、必要に応じて再生することができる。
従来のポータブル音楽機器には、例えば特許文献１に記載されたものがある。
【０００３】
ところで、このようなポータブル音楽機器は、主に、ユーザが携帯しながら音楽を聞くことを想定して設計されているため、第三者に迷惑とならないよう、ヘッドフォン出力端子にヘッドフォンを接続して再生音を聞くようになっており、一般的にはスピーカは内蔵されていない。
【０００４】
そのため、しばしば、ユーザは、ポータブル音楽機器で再生する音楽を、例えば家の外ではヘッドフォンで楽しみ、家の中ではより高音質で臨場感溢れる再生が可能なスピーカで楽しむことを行う。
【０００５】
特に、ハードディスク等を内蔵した記憶装置内蔵型のポータブル音楽機器の再生音をスピーカで楽しむ場合には、従来からある例えばＣＤ等の着脱可能な記憶媒体に音楽が保存されている場合とは異なり、機器から簡単に記憶装置を取り出すことができないため、ポータブル音楽機器と、スピーカが接続されている外部アンプとを直接、オーディオケーブルで繋いで、再生音を外部のスピーカから出力させることが行われる。
【０００６】
ところで、このようなポータブル音楽機器では、ユーザが自由に音量を調節することができるように、音量キー等の音量操作部が設けられている。また、外部アンプにも音量調節用の音量ダイヤル等の音量操作部が設けられている。
【０００７】
そのため、ポータブル音楽機器と外部アンプとを接続して、ポータブル音楽機器での再生音を外部スピーカで聞く場合には、両方の機器で音量操作を行いながら、スピーカ音量を調整する必要がある。
【特許文献１】特開２００３−２９５８９６号公報
【発明の開示】
【発明が解決しようとする課題】
【０００８】
このように、ポータブル音楽機器の再生音を外部スピーカで出力する場合、ポータブル音楽機器側と外部アンプ側との両方で可変量（音量やイコライザ設定等）の操作が可能なため、ユーザが適切な出力を得るためには、両機器のそれぞれの操作部を適切に操作しなければならず、調整が難しく、また、操作が面倒であった。
【０００９】
本発明は、上記実情に鑑みてなされたものであり、音楽機器と外部機器とを接続した場合に、両機器で共に設定できる値を容易に調整することが可能な可変量調整システム等を提供することを目的とする。
【課題を解決するための手段】
【００１０】
上記目的を達成するため、本発明の第１の観点に係る可変量調整システムは、
所定の可変量の第１の変更値に基づき音声信号を変換する音響装置と、前記変換された音声信号を前記可変量の第２の変更値に基づき変換する外部装置と、を備える可変量調整システムであって、
前記音響装置は、
音声信号を出力する音声信号出力手段と、
ユーザの操作に応じて、前記第１の変更値を設定する第１の変更値設定手段と、
前記外部装置の接続を検出する装置接続検出手段と、
前記装置接続検出手段が接続を検出したときに、前記第１の変更値を所定の値に設定する変更値固定手段と、
前記装置接続検出手段が接続を検出しないときには前記第１の変更値設定手段が設定した変更値に基づいて、前記装置接続検出手段が接続を検出したときには前記変更値固定手段が設定した変更値に基づいて、前記音声信号出力手段が出力した音声信号を変換する第１の音声信号変換手段と、を備え、
前記外部装置は、
ユーザの操作に応じて、前記第２の変更値を設定する第２の変更値設定手段と、
前記第１の音声信号変換手段が変換した音声信号を、前記第２の変更値設定手段が設定した変更値に基づき変換する第２の音声信号変換手段と、を備える、
ことを特徴とする。
【００１１】
前記音響装置は、
前記第１の音声信号変換手段が変換した音声信号を出力する音声信号出力端子を備え、
前記外部装置は、
前記音声信号出力端子と４極以上で接続される音声信号入力端子と、
前記音声信号入力端子への接続を検出する端子接続検出手段と、
前記端子接続検出手段が接続を検出したときに、接続検出信号を前記音声信号入力端子を介して前記音声信号出力端子に出力する接続検出信号出力手段と、を備え、
前記音響装置の前記装置接続検出手段は、前記音声信号出力端子に入力される前記接続検出信号に基づき、前記外部装置の接続を検出する、
ようにしてもよい。
【００１２】
前記変更値固定手段は、前記装置接続検出手段が接続を検出したときに、前記第１の変更値設定手段による前記第１の変更値の設定を禁止し、前記第１の変更値を所定の値に設定する、
ようにしてもよい。
【００１３】
本発明の第２の観点に係る可変量調整システムは、
所定の可変量の第１の変更値に基づき音声信号を変換する音響装置と、前記変換された音声信号を前記可変量の第２の変更値に基づき変換する外部装置と、を備える可変量調整システムであって、
前記音響装置は、
音声信号を出力する音声信号出力手段と、
ユーザの操作に応じて、前記第１の変更値を設定する第１の変更値設定手段と、
前記音声信号出力手段が出力した音声信号を、前記第１の変更値設定手段が設定した変更値に基づき変換する第１の音声信号変換手段と、を備え、
前記外部装置は、
ユーザの操作に応じて、前記第２の変更値を設定する第２の変更値設定手段と、
前記音響装置の接続を検出する装置接続検出手段と、
前記装置接続検出手段が接続を検出したときに、前記第２の変更値を所定の値に設定する変更値固定手段と、
前記装置接続検出手段が接続を検出しないときには前記第２の変更値設定手段が設定した変更値に基づいて、前記装置接続検出手段が接続を検出したときには前記変更値固定手段が設定した変更値に基づいて、前記第１の音声信号変換手段が変換した音声信号を変換する第２の音声信号変換手段と、を備える、
ことを特徴とする。
【００１４】
前記音響装置は、
前記第１の音声信号変換手段が変換した音声信号を出力する音声信号出力端子と、
前記音声信号出力端子への接続を検出する端子接続検出手段と、
前記端子接続検出手段が接続を検出したときに、接続検出信号を前記音声信号出力端子に出力する接続検出信号出力手段と、を備え、
前記外部装置は、
前記音声信号出力端子と４極以上で接続される音声信号入力端子を備え、
前記装置接続検出手段は、前記音声信号出力端子を介して前記音声信号入力端子に入力される前記接続検出信号に基づき、前記音響装置の接続を検出する、
ようにしてもよい。
【００１５】
前記変更値固定手段は、前記装置接続検出手段が接続を検出したときに、前記第２の変更値設定手段による前記第２の変更値の設定を禁止し、前記第２の変更値を所定の値に設定する、
ようにしてもよい。
【００１６】
本発明の第３の観点に係る音量調整システムは、
第１の音量値に基づき音声信号を増幅する音響装置と、前記増幅された音声信号を第２の音量値に基づき増幅する外部装置と、を備える音量調整システムであって、
前記音響装置は、
音声信号を出力する音声信号出力手段と、
ユーザの操作に応じて、前記第１の音量値を設定する第１の音量値設定手段と、
前記外部装置の接続を検出する装置接続検出手段と、
前記装置接続検出手段が接続を検出したときに、前記第１の音量値を所定の値に設定する音量値固定手段と、
前記装置接続検出手段が接続を検出しないときには前記第１の音量値設定手段が設定した音量値に基づいて、前記装置接続検出手段が接続を検出したときには前記音量値固定手段が設定した音量値に基づいて、前記音声信号出力手段が出力した音声信号を増幅する第１の音声信号増幅手段と、を備え、
前記外部装置は、
ユーザの操作に応じて、前記第２の音量値を設定する第２の音量値設定手段と、
前記第１の音声信号増幅手段が増幅した音声信号を、前記第２の音量値設定手段が設定した音量値に基づき増幅する第２の音声信号増幅手段と、を備える、
ことを特徴とする。
【００１７】
前記音響装置は、
前記第１の音声信号増幅手段が増幅した音声信号を出力する音声信号出力端子を備え、
前記外部装置は、
前記音声信号出力端子と４極以上で接続される音声信号入力端子と、
前記音声信号入力端子への接続を検出する端子接続検出手段と、
前記端子接続検出手段が接続を検出したときに、接続検出信号を前記音声信号入力端子を介して前記音声信号出力端子に出力する接続検出信号出力手段と、を備え、
前記音響装置の前記装置接続検出手段は、前記音声信号出力端子に入力される前記接続検出信号に基づき、前記外部装置の接続を検出する、
ようにしてもよい。
【００１８】
前記音量値固定手段は、前記装置接続検出手段が接続を検出したときに、前記第１の音量値設定手段による前記第１の音量値の設定を禁止し、前記第１の音量値を所定の値に設定する、
ようにしてもよい。
【００１９】
前記音量値固定手段は、前記装置接続検出手段が接続を検出したときに、前記第１の音量値を最大値に設定する、
ようにしてもよい。
【００２０】
本発明の第４の観点に係る音量調整システムは、
第１の音量値に基づき音声信号を増幅する音響装置と、前記増幅された音声信号を第２の音量値に基づき増幅する外部装置と、を備える音量調整システムであって、
前記音響装置は、
音声信号を出力する音声信号出力手段と、
ユーザの操作に応じて、前記第１の音量値を設定する第１の音量値設定手段と、
前記音声信号出力手段が出力した音声信号を、前記第１の音量値設定手段が設定した音量値に基づき増幅する第１の音声信号増幅手段と、を備え、
前記外部装置は、
ユーザの操作に応じて、前記第２の音量値を設定する第２の音量値設定手段と、
前記音響装置の接続を検出する装置接続検出手段と、
前記装置接続検出手段が接続を検出したときに、前記第２の音量値を所定の値に設定する音量値固定手段と、
前記装置接続検出手段が接続を検出しないときには前記第２の音量値設定手段が設定した音量値に基づいて、前記装置接続検出手段が接続を検出したときには前記音量値固定手段が設定した音量値に基づいて、前記第１の音声信号増幅手段が増幅した音声信号を増幅する第２の音声信号増幅手段と、を備える、
ことを特徴とする。
【００２１】
前記音響装置は、
前記第１の音声信号増幅手段が増幅した音声信号を出力する音声信号出力端子と、
前記音声信号出力端子への接続を検出する端子接続検出手段と、
前記端子接続検出手段が接続を検出したときに、接続検出信号を前記音声信号出力端子に出力する接続検出信号出力手段と、を備え、
前記外部装置は、
前記音声信号出力端子と４極以上で接続される音声信号入力端子を備え、
前記装置接続検出手段は、前記音声信号出力端子を介して前記音声信号入力端子に入力される前記接続検出信号に基づき、前記音響装置の接続を検出する、
ようにしてもよい。
【００２２】
前記音量値固定手段は、前記装置接続検出手段が接続を検出したときに、前記第２の音量値設定手段による前記第２の音量値の設定を禁止し、前記第２の音量値を所定の値に設定する、
ようにしてもよい。
【００２３】
前記音量値固定手段は、前記装置接続検出手段が接続を検出したときに、前記第２の音量値を最大値に設定する、
ようにしてもよい。
【００２４】
本発明の第５の観点に係るイコライザ調整システムは、
第１のイコライザ設定値に基づき音声信号を変換する音響装置と、前記変換された音声信号を第２のイコライザ設定値に基づき変換する外部装置と、を備えるイコライザ調整システムであって、
前記音響装置は、
音声信号を出力する音声信号出力手段と、
ユーザの操作に応じて、前記第１のイコライザ設定値を決定する第１の設定値決定手段と、
前記外部装置の接続を検出する装置接続検出手段と、
前記装置接続検出手段が接続を検出したときに、前記第１のイコライザ設定値を所定の値に決定する設定値固定手段と、
前記装置接続検出手段が接続を検出しないときには前記第１の設定値決定手段が決定したイコライザ設定値に基づいて、前記装置接続検出手段が接続を検出したときには前記設定値固定手段が決定したイコライザ設定値に基づいて、前記音声信号出力手段が出力した音声信号を変換する第１の音声信号変換手段と、を備え、
前記外部装置は、
ユーザの操作に応じて、前記第２のイコライザ設定値を決定する第２の設定値決定手段と、
前記第１の音声信号変換手段が変換した音声信号を、前記第２の設定値決定手段が決定したイコライザ設定値に基づき変換する第２の音声信号変換手段と、を備える、
ことを特徴とする。
【００２５】
前記音響装置は、
前記第１の音声信号変換手段が変換した音声信号を出力する音声信号出力端子を備え、
前記外部装置は、
前記音声信号出力端子と４極以上で接続される音声信号入力端子と、
前記音声信号入力端子への接続を検出する端子接続検出手段と、
前記端子接続検出手段が接続を検出したときに、接続検出信号を前記音声信号入力端子を介して前記音声信号出力端子に出力する接続検出信号出力手段と、を備え、
前記音響装置の前記装置接続検出手段は、前記音声信号出力端子に入力される前記接続検出信号に基づき、前記外部装置の接続を検出する、
ようにしてもよい。
【００２６】
前記設定値固定手段は、前記装置接続検出手段が接続を検出したときに、前記第１の設定値決定手段による前記第１のイコライザ設定値の決定を禁止し、前記第１のイコライザ設定値を所定の値に決定する、
ようにしてもよい。
【００２７】
前記第１の音声信号変換手段は、前記装置接続検出手段が接続を検出したときに、音声信号のイコライザ変換を行わない、
ようにしてもよい。
【００２８】
本発明の第６の観点に係るイコライザ調整システムは、
第１のイコライザ設定値に基づき音声信号を変換する音響装置と、前記変換された音声信号を第２のイコライザ設定値に基づき変換する外部装置と、を備えるイコライザ調整システムであって、
前記音響装置は、
音声信号を出力する音声信号出力手段と、
ユーザの操作に応じて、前記第１のイコライザ設定値を決定する第１の設定値決定手段と、
前記音声信号出力手段が出力した音声信号を、前記第１の設定値決定手段が決定したイコライザ設定値に基づき変換する第１の音声信号変換手段と、を備え、
前記外部装置は、
ユーザの操作に応じて、前記第２のイコライザ設定値を決定する第２の設定値決定手段と、
前記音響装置の接続を検出する装置接続検出手段と、
前記装置接続検出手段が接続を検出したときに、前記第２のイコライザ設定値を所定の値に決定する設定値固定手段と、
前記装置接続検出手段が接続を検出しないときには前記第２の設定値決定手段が決定したイコライザ設定値に基づいて、前記装置接続検出手段が接続を検出したときには前記設定値固定手段が決定したイコライザ設定値に基づいて、前記第１の音声信号変換手段が変換した音声信号を変換する第２の音声信号変換手段と、を備える、
ことを特徴とする。
【００２９】
前記音響装置は、
前記第１の音声信号変換手段が変換した音声信号を出力する音声信号出力端子と、
前記音声信号出力端子への接続を検出する端子接続検出手段と、
前記端子接続検出手段が接続を検出したときに、接続検出信号を前記音声信号出力端子に出力する接続検出信号出力手段と、を備え、
前記外部装置は、
前記音声信号出力端子と４極以上で接続される音声信号入力端子を備え、
前記装置接続検出手段は、前記音声信号出力端子を介して前記音声信号入力端子に入力される前記接続検出信号に基づき、前記音響装置の接続を検出する、
ようにしてもよい。
【００３０】
前記設定値固定手段は、前記装置接続検出手段が接続を検出したときに、前記第２の設定値設定手段による前記第２のイコライザ設定値の決定を禁止し、前記第２のイコライザ設定値を所定の値に決定する、
ようにしてもよい。
【００３１】
前記第２の音声信号変換手段は、前記装置接続検出手段が接続を検出したときに、音声信号のイコライザ変換を行わない、
ようにしてもよい。
【００３２】
本発明の第７の観点に係る可変量調整装置は、
音声信号を取得する音声信号取得手段と、
ユーザの操作に応じて、所定の可変量の第１の変更値を設定する変更値設定手段と、
外部装置が接続され、該外部装置からの信号の入力を受け付ける信号端子と、
前記信号端子に入力される信号に基づき、接続された外部装置が、入力音声信号を前記可変量の第２の変更値に基づき変換する外部可変量調整装置であるか否かを判別する外部装置判別手段と、
接続された外部装置が外部可変量調整装置であると前記外部装置判別手段により判別されたときに、前記第１の変更値を所定の値に設定する変更値固定手段と、
接続された外部装置が外部可変量調整装置でないと前記外部装置判別手段により判別されたときには前記変更値設定手段が設定した変更値に基づいて、接続された外部装置が外部可変量調整装置であると前記外部装置判別手段により判別されたときには前記変更値固定手段が設定した変更値に基づいて、前記音声信号取得手段が取得した音声信号を変換する音声信号変換手段と、
前記音声信号変換手段が変換した音声信号を前記信号端子に出力する変換音声信号出力手段と、
を備える。
【００３３】
本発明の第８の観点に係る可変量調整装置は、
ユーザの操作に応じて、所定の可変量の第１の変更値を設定する変更値設定手段と、
外部装置が接続され、該外部装置から音声信号と制御信号とを受信する信号端子と、
前記信号端子が受信した制御信号に基づき、接続された外部装置が、音声信号を前記可変量の第２の変更値に基づき変換する外部可変量調整装置であるか否かを判別する外部装置判別手段と、
接続された外部装置が外部可変量調整装置であると前記外部装置判別手段により判別されたときに、前記第１の変更値を所定の値に設定する変更値固定手段と、
接続された外部装置が外部可変量調整装置でないと前記外部装置判別手段により判別されたときには前記変更値設定手段が設定した変更値に基づいて、接続された外部装置が外部可変量調整装置であると前記外部装置判別手段により判別されたときには前記変更値固定手段が設定した変更値に基づいて、前記信号端子が受信した音声信号を変換する音声信号変換手段と、
を備える。
【００３４】
前記変更値固定手段は、接続された外部装置が外部可変量調整装置であると前記外部装置判別手段により判別されたときに、前記変更値設定手段による前記第１の変更値の設定を禁止し、前記第１の変更値を所定の値に設定する、
ようにしてもよい。
【００３５】
本発明の第９の観点に係る音量調整装置は、
音声信号を取得する音声信号取得手段と、
ユーザの操作に応じて、第１の音量値を設定する音量値設定手段と、
外部装置が接続され、該外部装置からの信号の入力を受け付ける信号端子と、
前記信号端子に入力される信号に基づき、接続された外部装置が、入力音声信号を第２の音量値に基づき増幅する外部音量調整装置であるか否かを判別する外部装置判別手段と、
接続された外部装置が外部音量調整装置であると前記外部装置判別手段により判別されたときに、前記第１の音量値を所定の値に設定する音量値固定手段と、
接続された外部装置が外部音量調整装置でないと前記外部装置判別手段により判別されたときには前記音量値設定手段が設定した音量値に基づいて、接続された外部装置が外部音量調整装置であると前記外部装置判別手段により判別されたときには前記音量値固定手段が設定した音量値に基づいて、前記音声信号取得手段が取得した音声信号を増幅する音声信号増幅手段と、
前記音声信号増幅手段が増幅した音声信号を前記信号端子に出力する増幅音声信号出力手段と、
を備える。
【００３６】
本発明の第１０の観点に係る音量調整装置は、
ユーザの操作に応じて、第１の音量値を設定する音量値設定手段と、
外部装置が接続され、該外部装置から音声信号と制御信号とを受信する信号端子と、
前記信号端子が受信した制御信号に基づき、接続された外部装置が、音声信号を第２の音量値に基づき増幅する外部音量調整装置であるか否かを判別する外部装置判別手段と、
接続された外部装置が外部音量調整装置であると前記外部装置判別手段により判別されたときに、前記第１の音量値を所定の値に設定する音量値固定手段と、
接続された外部装置が外部音量調整装置でないと前記外部装置判別手段により判別されたときには前記音量値設定手段が設定した音量値に基づいて、接続された外部装置が外部音量調整装置であると前記外部装置判別手段により判別されたときには前記音量値固定手段が設定した音量値に基づいて、前記信号端子が受信した音声信号を増幅する音声信号増幅手段と、
を備える。
【００３７】
前記音量値固定手段は、接続された外部装置が外部音量調整装置であると前記外部装置判別手段により判別されたときに、前記音量値設定手段による前記第１の音量値の設定を禁止し、前記第１の音量値を所定の値に設定する、
ようにしてもよい。
【００３８】
前記音量値固定手段は、接続された外部装置が外部音量調整装置であると前記外部装置判別手段により判別されたときに、前記第１の音量値を最大値に設定する、
ようにしてもよい。
【００３９】
本発明の第１１の観点に係るイコライザ調整装置は、
音声信号を取得する音声信号取得手段と、
ユーザの操作に応じて、第１のイコライザ設定値を決定する設定値決定手段と、
外部装置が接続され、該外部装置からの信号の入力を受け付ける信号端子と、
前記信号端子に入力される信号に基づき、接続された外部装置が、入力音声信号を第２のイコライザ設定値に基づき変換する外部イコライザ調整装置であるか否かを判別する外部装置判別手段と、
接続された外部装置が外部イコライザ調整装置であると前記外部装置判別手段により判別されたときに、前記第１のイコライザ設定値を所定の値に決定する設定値固定手段と、
接続された外部装置が外部イコライザ調整装置でないと前記外部装置判別手段により判別されたときには前記設定値決定手段が決定したイコライザ設定値に基づいて、接続された外部装置が外部イコライザ調整装置であると前記外部装置判別手段により判別されたときには前記設定値固定手段が決定したイコライザ設定値に基づいて、前記音声信号取得手段が取得した音声信号を変換する音声信号変換手段と、
前記音声信号変換手段が変換した音声信号を前記信号端子に出力する変換音声信号出力手段と、
を備える。
【００４０】
本発明の第１２の観点に係るイコライザ調整装置は、
ユーザの操作に応じて、第１のイコライザ設定値を決定する設定値決定手段と、
外部装置が接続され、該外部装置から音声信号と制御信号とを受信する信号端子と、
前記信号端子が受信した制御信号に基づき、接続された外部装置が、音声信号を第２のイコライザ設定値に基づき変換する外部イコライザ調整装置であるか否かを判別する外部装置判別手段と、
接続された外部装置が外部イコライザ調整装置であると前記外部装置判別手段により判別されたときに、前記第１のイコライザ設定値を所定の値に決定する設定値固定手段と、
接続された外部装置が外部イコライザ調整装置でないと前記外部装置判別手段により判別されたときには前記設定値決定手段が決定したイコライザ設定値に基づいて、接続された外部装置が外部イコライザ調整装置であると前記外部装置判別手段により判別されたときには前記設定値固定手段が決定したイコライザ設定値に基づいて、前記信号端子が受信した音声信号を変換する音声信号変換手段と、
を備える。
【００４１】
前記設定値固定手段は、接続された外部装置が外部イコライザ調整装置であると前記外部装置判別手段により判別されたときに、前記設定値決定手段による前記第１のイコライザ設定値の決定を禁止し、前記第１のイコライザ設定値を所定の値に決定する、
ようにしてもよい。
【００４２】
前記音声信号変換手段は、接続された外部装置が外部イコライザ調整装置であると前記外部装置判別手段により判別されたときに、音声信号のイコライザ変換を行わない、
ようにしてもよい。
【発明の効果】
【００４３】
本発明によれば、音楽機器と外部機器とを接続した場合に、両機器で共に設定できる値を容易に調整することができる。
【発明を実施するための最良の形態】
【００４４】
以下、本発明の実施の形態を図面を参照して説明する。
図１は、本発明の第１の実施の形態に係るポータブル音楽機器と外部機器とを接続した可変量調整システムの構成図である。
本実施の形態においては、両機器で共に設定できる値の１つである音量値を調整する場合を例に説明する。
【００４５】
本実施の形態に係る可変量調整システムは、図示するように、ポータブルＨＤＤ（Hard Disk Drive）プレーヤ等のポータブル音楽機器１と、外部アンプ２とがステレオミニプラグケーブル４で接続されており、外部アンプ２には外部スピーカ３が接続されている。ポータブル音楽機器１と外部アンプ２とは、共に、後述する音量操作部及び信号増幅器を備え、それぞれ独自に音量を設定することができる機器である。
【００４６】
まず、ポータブル音楽機器１と外部アンプ２との接続構成について説明する。
ステレオミニプラグケーブル４は、４極ステレオミニプラグのケーブルであり、ポータブル音楽機器１のヘッドフォン出力端子１１と外部アンプ２のライン入力端子２１とを接続する。
【００４７】
４極のステレオミニプラグケーブル４内において、Ｌｃｈ音声（左音声）、Ｒｃｈ音声（右音声）、及び音声信号用ＧＮＤからなる音声信号がポータブル音楽機器１から外部アンプ２へ流れ、ポータブル音楽機器１を制御するための制御信号が外部アンプ２からポータブル音楽機器１へ流れる。
【００４８】
つまり、４極でヘッドフォン出力端子１１とライン入力端子２１とを接続し、４極のうちの１極を、制御信号用に割り当てることにより、外部アンプ２にポータブル音楽機器１を制御させる。なお、ステレオミニプラグケーブル４は、４極以上のプラグであればよい。
【００４９】
ステレオミニプラグケーブル４を流れる制御信号は、アナログ信号である。具体的には、外部アンプ２は、ライン入力端子２１にプラグが接続されたことを検出すると、ステレオミニプラグケーブル４の１極を介して接続相手の機器に、所定の値のアナログ電圧信号を制御信号として出力する。なお、制御信号の出力は、外部アンプ２のセレクタが外部機器接続（ライン入力）にされたときでもよい。
【００５０】
また、ポータブル音楽機器１のヘッドフォン出力端子１１には、外部アンプ２の他にも、ステレオミニプラグケーブル４を介して、様々な機器が接続される。例えば、ヘッドフォン出力端子１１には、ヘッドフォン接続が可能な遠隔操作用のリモコン機器（図示せず）が接続されることがある。この場合には、リモコン機器は、ステレオミニプラグケーブル４の１極を介してポータブル音楽機器１に、外部アンプ２が制御信号として出力する電圧値とは異なる値のアナログ電圧信号を出力する。
【００５１】
このように、接続される機器毎に異なる値のアナログ電圧信号が、ステレオミニプラグケーブル４の１極を介して、制御信号としてポータブル音楽機器１に出力される。これにより、ポータブル音楽機器１は、受信するアナログ電圧信号の電圧値に応じて、接続された機器を判別することができる。
【００５２】
次に、ポータブル音楽機器１の構成について説明する。
ポータブル音楽機器１は、図示するように、ヘッドフォン出力端子１１と、音声信号出力部１２と、音量操作部１３と、信号増幅器１４と、マイコン（マイクロコンピュータ）１５と、を備えている。
【００５３】
ヘッドフォン出力端子１１は、前述したステレオミニプラグケーブル４が接続される端子であり、ポータブル音楽機器１で再生される音声信号をステレオミニプラグケーブル４を介して外部機器に出力するための端子である。
音声信号出力部１２は、ポータブル音楽機器１内の音声データを再生し、音声信号として出力するためのものである。
【００５４】
音量操作部１３は、ユーザの操作に応じて、ヘッドフォン出力端子１１から出力される音声信号の音量を設定するためのものであり、例えば、ポータブル音楽機器１に備えられる音量キー等である。音量操作部１３は、ユーザの操作に応じた操作信号を出力する。
信号増幅器１４は、入力される信号を増幅して出力するためのものである。具体的には、例えば、信号増幅器１４は、音声信号出力部１２から出力された音声信号を、音量操作部１３の操作信号に基いて増幅し、ヘッドフォン出力端子１１に出力する。
【００５５】
マイコン１５は、演算処理を行うマイクロプロセッサとメモリとを備える集積回路であり、メモリ等に記憶されている制御プログラムや演算処理結果に従ってポータブル音楽機器１の各部の制御を行う。
マイコン１５は、図示するように、音量制御部１５１と、制御信号解析部１５２と、ＡＤ変換部１５３と、制御信号変換テーブル１５４と、を備えている。
音量制御部１５１は、音量操作部１３が出力する操作信号に基づいて音量値を決定し、信号増幅器１４に出力する。
【００５６】
ポータブル音楽機器１において音量を設定する場合、まず、ユーザが音量操作部１３を操作する。音量制御部１５１は、音量操作部１３からの操作信号を取り込み、取り込んだ操作信号に基づく音量値を信号増幅器１４に出力する。そして、信号増幅器１４が、音量制御部１５１からの音量値に基づく増幅率で入力音声信号を増幅して出力を調整することにより、音量が設定される。
【００５７】
マイコン１５の制御信号解析部１５２は、ヘッドフォン出力端子１１を介して外部機器から入力される制御信号を解析するためのものであり、ＡＤ変換部１５３は、アナログ信号をディジタル信号に変換するためのものである。
【００５８】
制御信号解析部１５２は、アナログ電圧信号である制御信号を、ヘッドフォン出力端子１１から受け取ると、そのアナログ電圧信号をＡＤ変換部１５３に出力する。ＡＤ変換部１５３は、受け取ったアナログ電圧信号をディジタル信号に変換して、制御信号解析部１５２に戻す。
【００５９】
制御信号変換テーブル１５４は、制御信号の電圧値と制御信号が示す意味内容とを関連付けて記憶するテーブルである。
図２は、制御信号変換テーブル１５４のデータ構成例を示す図である。
制御信号解析部１５２は、ＡＤ変換部１５３からディジタル信号を受け取ると、制御信号変換テーブル１５４において、そのディジタル信号が示す電圧値に関連付けて記憶されている制御信号内容を読み出して、制御信号を解析する。
【００６０】
例えば、図２に示す制御信号変換テーブルを用いた場合、外部機器からの制御信号が１．６Ｖであれば、制御信号解析部１５２は、ヘッドフォン出力端子１１にステレオミニプラグケーブル４を介して外部アンプ２が接続されていると認識する。また、例えば、制御信号が２．１Ｖである場合には、制御信号解析部１５２は、ヘッドフォン出力端子１１にリモコン機器が接続されていると認識する。
【００６１】
なお、制御信号は、接続されている外部機器の種類を示すだけでなく、例えば、接続されている外部機器におけるキー操作の内容をも示すこともできる。具体的には、例えば、接続されている外部機器において、「プレイ／ポーズ」ボタンが操作されると２．７４Ｖの制御信号が出力され、「次の曲」ボタンが操作されると３．２３Ｖの制御信号が出力される。この場合には、制御信号解析部１５２は、図２に示した制御信号変換テーブルを参照して、制御信号から外部機器の操作を解釈することができる。このようなキー操作内容を示す制御信号は、例えば、リモコン機器や外部アンプ２がポータブル音楽機器１を遠隔操作する場合に利用することができる。
【００６２】
このように、制御信号変換テーブル１５４に、外部機器が出力する制御信号の電圧値と、その制御信号が示す意味内容とを、予め記憶させておくことにより、制御信号解析部１５２は、制御信号に基づき、接続された外部機器の種類や、外部機器におけるキー操作を適切に把握することができる。
【００６３】
制御信号解析部１５２は、ヘッドフォン出力端子１１に外部機器が接続されると、外部機器から出力される制御信号を解析し、接続が検出されている外部機器の種類を示す信号を音量制御部１５１に出力する。具体的には、例えば、制御信号解析部１５２は、外部アンプ２の接続を検出すると外部アンプ接続検出信号を、また、リモコン機器の接続を検出するとリモコン接続検出信号を、音量制御部１５１に出力する。
【００６４】
音量制御部１５１は、制御信号解析部１５２から外部アンプ接続検出信号を受け取ると、音量値を一定値に固定し、ポータブル音楽機器１での音量キー操作を禁止する。具体的には、例えば、音量制御部１５１は、音量操作部１３から出力される操作信号を無効にし、音量値を例えば最大値に固定する。また、音量操作部１３の操作を禁止する場合には、禁止前の音量値に固定してもよい。
そして、信号増幅器１４は、固定された音量値に基づく固定された増幅率で音声信号を増幅し、ヘッドフォン出力端子１１に出力する。
【００６５】
一方、信号増幅器を備えていないために独自に音量を変更することができないリモコン機器等の外部機器の接続を、制御信号解析部１５２が検出した場合には、音量制御部１５１は、音量値を一定値に固定することはせず、音量操作部１３が出力する操作信号に基づいて音量値を決定する。
【００６６】
このように、ポータブル音楽機器１に外部アンプ２が接続された場合には、ポータブル音楽機器１において一定値に固定された音量値の音声信号が、ステレオミニプラグケーブル４を介して外部アンプ２に出力される。
【００６７】
次に、外部アンプ２の構成について説明する。
外部アンプ２は、図１に示すように、ライン入力端子２１と、音量操作部２２と、信号増幅器２３と、マイコン（マイクロコンピュータ）２４と、電圧変換ＩＣ（integrated circuit）２５と、を備えている。さらに、外部アンプ２には外部スピーカ３が接続されている。
【００６８】
ライン入力端子２１は、前述したステレオミニプラグケーブル４が接続される端子であり、ポータブル音楽機器１で再生される音声信号をステレオミニプラグケーブル４を介して入力するための端子である。
【００６９】
音量操作部２２は、ユーザの操作に応じて、外部スピーカ３から出力される音声の音量を設定するためのものであり、例えば、外部アンプ２に備えられる音量ダイヤル等である。音量操作部２２は、ユーザの操作に応じた操作信号を出力する。
信号増幅器２３は、入力される信号を増幅して出力するためのものである。具体的には、例えば、信号増幅器２３は、ライン入力端子２１に入力された音声信号を、音量操作部２２の操作信号に基いて増幅し、外部スピーカ３に出力する。
【００７０】
マイコン２４は、演算処理を行うマイクロプロセッサとメモリとを備える集積回路であり、メモリ等に記憶されている制御プログラムや演算処理結果に従って外部アンプ２の各部の制御を行う。
マイコン２４は、図示するように、音量制御部２４１と、接続検出部２４２と、を備えている。
音量制御部２４１は、音量操作部２２が出力する操作信号に基づいて音量値を決定し、信号増幅器２３に出力する。
【００７１】
外部アンプ２において音量を設定する場合、まず、ユーザが音量操作部２２を操作する。音量制御部２４１は、音量操作部２２からの操作信号を取り込み、取り込んだ操作信号に基づく音量値を信号増幅器２３に出力する。そして、信号増幅器２３が、音量制御部２４１からの音量値に基づく増幅率で入力音声信号を増幅して出力を調整することにより、音量が設定される。
【００７２】
マイコン２４の接続検出部２４２は、ライン入力端子２１へのプラグの接続を検出し、その検出信号を出力するためのものであり、電圧変換ＩＣ２５は、入力される信号に対応するアナログ電圧信号を出力する集積回路である。
具体的には、ライン入力端子２１にプラグが接続されると、接続検出部２４２がその接続を検出し、接続検出信号を電圧変換ＩＣ２５に出力する。電圧変換ＩＣ２５は、入力された接続検出信号に基づき、例えば１．６Ｖのアナログ電圧信号をライン入力端子２１に出力する。
【００７３】
このアナログ電圧信号が、制御信号として、ステレオミニプラグケーブル４の１極を介してポータブル音楽機器１に送信される。ポータブル音楽機器１側では、この制御信号の電圧値を解析して、接続されている外部機器が外部アンプ２であることを認識する。
【００７４】
外部スピーカ３は、信号増幅器２３が出力した音声信号に基づく音声を出力する。
そして、外部スピーカ３から出力される音声の音量は、ポータブル音楽機器１のヘッドフォン出力端子１１と外部アンプ２のライン入力端子２１とが接続されていることから、ポータブル音楽機器１の信号増幅器１４で増幅した値を、さらに、外部アンプ２の信号増幅器２３で増幅した値となる。
【００７５】
しかしながら、ポータブル音楽機器１側では、外部アンプ２の接続を検出すると、音量値を一定値に固定するため、ユーザは、ポータブル音楽機器１側の音量を設定する必要がなくなる。このため、ユーザは、外部アンプ２側のみで音量値を設定するだけで、外部スピーカ３の音量を所望の音量に容易に設定することができる。
【００７６】
以上説明したように、本発明の第１の実施の形態によれば、ポータブル音楽機器１に外部アンプ２が接続されたときに、ポータブル音楽機器１の音量値を一定にし、音量キー操作を禁止にすることで、音量の調整は外部アンプ２側のみに依存する。これにより、ユーザがポータブル音楽機器１と外部アンプ２との両機器で音量のバランスを調整しなくても、容易に外部スピーカ３の音量を適切に調整することができる。
【００７７】
次に、本発明の第２の実施の形態を説明する。
上記第１の実施の形態においては、ポータブル音楽機器１と外部アンプ２との両機器で共に設定できる値として、音量値を調整する場合について説明した。しかし、本発明はこれに限られるものでなく、両機器で共に設定することができる他の値の調整にも適用することができる。
【００７８】
例えば、両機器で共にイコライザ設定ができる場合には、その調整は難しく、ユーザが意図した音声が外部スピーカ３から出力されない場合がある。
そこで、第２の実施の形態においては、両機器で共に設定できる値の１つであるイコライザ設定値を調整する場合を例に説明する。
【００７９】
図３は、本発明の第２の実施の形態に係るポータブル音楽機器と外部機器とを接続した可変量調整システムの構成図である。
図３においては、図１に示した第１の実施の形態に係る可変量調整システムと同一の機能を有する部分については、同一の符号を付してその説明を省略する。
【００８０】
図３に示す可変量調整システムが、図１に示した可変量調整システムと異なる点は、音量操作部１３，２２がそれぞれイコライザ操作部１６，２６に、音量制御部１５１，２４１がそれぞれイコライザ制御部１５５，２４３になっている点である。
【００８１】
まず、ポータブル音楽機器１側について説明する。
イコライザ操作部１６は、ユーザの操作に応じて、ヘッドフォン出力端子１１から出力される音声信号の音質を設定するためのものである。イコライザ操作部１６は、ユーザの操作に応じた操作信号を出力する。
イコライザ制御部１５５は、イコライザ操作部１６が出力する操作信号に基づいてイコライザ設定値を決定し、出力する。
【００８２】
本実施の形態においては、信号増幅器１４は、イコライザ制御部１５５が出力したイコライザ設定値に基づき、周波数帯域毎にゲインの増減を行うことにより、音声信号出力部１２から出力される音声信号の音質を変更し、ヘッドフォン出力端子１１に出力する。
【００８３】
イコライザ制御部１５５は、制御信号解析部１５２から外部アンプ接続検出信号を受け取ると、ポータブル音楽機器１のイコライザ設定を無効にし、イコライザ変更のキー操作を禁止する。具体的には、例えば、イコライザ制御部１５５は、イコライザ操作部１６から出力される操作信号を無効にし、イコライザ設定値をすべての周波数帯域において例えば０に固定することにより、ポータブル音楽機器１におけるイコライザ設定を無効にする。
そして、信号増幅器１４は、イコライザを変更していない音声信号を、ヘッドフォン出力端子１１に出力する。
【００８４】
一方、信号増幅器を備えていないために独自に音質を変更することができないリモコン機器等の外部機器の接続を、制御信号解析部１５２が検出した場合には、イコライザ制御部１５５は、イコライザ設定を無効にはせずに、イコライザ操作部１６が出力する操作信号に基づいてイコライザ設定値を決定する。
【００８５】
このように、ポータブル音楽機器１に外部アンプ２が接続された場合には、ポータブル音楽機器１においてイコライザ変更されない音声信号が、ステレオミニプラグケーブル４を介して外部アンプ２に出力される。
【００８６】
次に、外部アンプ２側について説明する。
イコライザ操作部２６は、ユーザの操作に応じて、外部スピーカ３から出力される音声の音質を設定するためのものである。イコライザ操作部２６は、ユーザの操作に応じた操作信号を出力する。
イコライザ制御部２４３は、イコライザ操作部２６が出力する操作信号に基づいてイコライザ設定値を決定し、出力する。
【００８７】
本実施の形態においては、信号増幅器２３は、イコライザ制御部２４３が出力したイコライザ設定値に基づき、周波数帯域毎にゲインの増減を行うことにより、ライン入力端子２１に入力された音声信号の音質を変更し、外部スピーカ３に出力する。
この結果、外部スピーカ３から出力される音声は、ポータブル音楽機器１のイコライザ設定値と外部アンプ２のイコライザ設定値とを掛け合わせた音声となる。
【００８８】
しかしながら、ポータブル音楽機器１側では、外部アンプ２の接続を検出すると、イコライザ設定を無効にするため、ユーザは、外部アンプ２側のみでイコライザを設定するだけで、外部スピーカ３の音質を所望の音質に容易に設定することができる。
【００８９】
以上説明したように、本発明の第２の実施の形態によれば、ポータブル音楽機器１と外部アンプ２とが接続された場合は、ポータブル音楽機器１のイコライザを無効、イコライザ変更のキー操作を禁止することにより、イコライザ変更は外部アンプ２のみに依存する。これにより、外部アンプ２のイコライザのみを設定すれば、ユーザが意図した音声を外部スピーカ３より出力することができる。
【００９０】
なお、イコライザ制御部１５５が、制御信号解析部１５２から外部アンプ接続検出信号を受け取った場合には、イコライザ操作部１６の操作を禁止して、禁止前のイコライザ設定値に固定してもよい。この場合にも、ユーザは、外部アンプ２側のみのイコライザの調整で、外部スピーカ３の音質を容易に調整することができる。
【００９１】
次に、本発明の第３の実施の形態を説明する。
上記第１及び第２の実施の形態では、ポータブル音楽機器１と外部機器２とを接続した場合に、音量やイコライザ等の設定をポータブル音楽機器１側で固定値にし、これらの操作を禁止する例について説明した。しかし、本発明はこれに限られるものではなく、例えば、外部アンプ２側で音量やイコライザ等の設定を固定値にし、これらの操作を無効とするようにしてもよい。
そこで、第３の実施の形態においては、外部アンプ２側の音量値の設定を固定し、ポータブル音楽機器１側のみで音量値の調整を行う場合を例に説明する。
【００９２】
図４は、本発明の第３の実施の形態に係るポータブル音楽機器と外部機器とを接続した可変量調整システムの構成図である。
図４においては、図１に示した第１の実施の形態に係る可変量調整システムと同一の機能を有する部分については、同一の符号を付してその説明を省略する。
【００９３】
図４に示す可変量調整システムは、ポータブル音楽機器１側で制御信号を生成し、外部アンプ２側で制御信号を解析する点が、図１に示した可変量調整システムと異なる。
【００９４】
本実施の形態におけるポータブル音楽機器１は、制御信号を生成するために、電圧変換ＩＣ１７を備え、また、マイコン１５内に接続検出部１５６を備えている。
【００９５】
マイコン１５の接続検出部１５６は、ヘッドフォン出力端子１１へのプラグの接続を検出し、接続検出信号を出力するためのものであり、電圧変換ＩＣ１７は、入力される信号に対応するアナログ電圧信号を出力する集積回路である。
具体的には、ヘッドフォン出力端子１１にプラグが接続されると、接続検出部１５６がその接続を検出し、接続検出信号を電圧変換ＩＣ１７に出力する。電圧変換ＩＣ１７は、入力された接続検出信号に基づき所定の電圧値のアナログ電圧信号をヘッドフォン出力端子１１に出力する。
【００９６】
このアナログ電圧信号が、制御信号として、ステレオミニプラグケーブル４の１極を介して外部アンプ２に送信される。なお、制御信号の出力は、ポータブル音楽機器１のセレクタが外部機器接続（ヘッドフォン出力）にされたときでもよい。
【００９７】
また、ポータブル音楽機器１においては、ユーザの操作に応じて音量操作部１３から出力される操作信号に基づき、音量制御部１５１において音量値が決定される。そして、音声信号出力部１２から出力された音声信号が、この音量値に基づき信号増幅器１４で増幅されて、ヘッドフォン出力端子１１に出力される。つまり、ポータブル音楽機器１においては、ユーザの操作に応じた音量の音声信号がヘッドフォン出力端子１１から出力される。
【００９８】
このように、本実施の形態においては、制御信号は、音声信号と同じく、ステレオミニプラグケーブル４内をポータブル音楽機器１から外部アンプ２へ流れる。
【００９９】
本実施の形態における外部アンプ２は、制御信号を解析するために、マイコン１５内に制御信号解析部２４４と、ＡＤ変換部２４５と、制御信号変換テーブル２４６とを備えている。
外部アンプ２のライン入力端子２１に他の機器が接続されると、制御信号解析部２４４は、ライン入力端子２１を介して接続された機器からアナログ電圧信号である制御信号を受け取り、ＡＤ変換部２４５に出力する。ＡＤ変換部２４５は、受け取ったアナログ電圧信号をディジタル信号に変換して、制御信号解析部２４４に戻す。
【０１００】
制御信号解析部２４４は、ＡＤ変換部２４５からディジタル信号を受け取ると、制御信号変換テーブル２４６において、そのディジタル信号が示す電圧値に関連付けて記憶されている制御信号内容を読み出して、制御信号を解析する。具体的には、制御信号変換テーブル２４６には、少なくとも、制御信号の電圧値とその電圧値の制御信号を出力する機器の情報とが関連付けて記憶されており、制御信号解析部２４４は、制御信号変換テーブル２４６を参照することにより、ライン入力端子２１にステレオミニプラグケーブル４を介して接続されている機器の種類を識別する。そして、制御信号解析部２４４は、その接続されている機器の種類を示す信号を音量制御部２４１に出力する。
【０１０１】
音量制御部２４１は、制御信号解析部２４４からポータブル音楽機器の接続を示す信号を受け取ると、音量値を一定値に固定し、外部アンプ２での音量キー操作を禁止する。具体的には、例えば、音量制御部２４１は、音量操作部２２から出力される操作信号を無効にし、音量値を例えば最大値に固定する。また、音量操作部２２の操作を禁止する場合には、禁止前の音量値に固定してもよい。
そして、信号増幅器２３は、固定された音量値に基づく固定された増幅率で、ライン入力端子２１に入力される音声信号を増幅し、外部スピーカ３に出力する。
【０１０２】
一方で、信号増幅器を備えていないために独自に音量を変更することができない機器の接続を示す信号を音量制御部２４１が受け取った場合には、音量値を一定値に固定することはせず、音量操作部２２が出力する操作信号に基づいて音量値を決定する。
【０１０３】
このようにして、本実施の形態においては、共に音量を設定することができるポータブル音楽機器１と外部アンプ２とが接続されると、外部アンプ２側の音量値が一定の値に固定され、ポータブル音楽機器１側で調整される音量の音声が外部スピーカ３から出力される。
【０１０４】
ここで、外部スピーカ３から出力される音声の音量は、ポータブル音楽機器１のヘッドフォン出力端子１１と外部アンプ２のライン入力端子２１とが接続されていることから、ポータブル音楽機器１の信号増幅器１４で増幅した値を、さらに、外部アンプ２の信号増幅器２３で増幅した値となる。
【０１０５】
しかしながら、外部アンプ２側では、ポータブル音楽機器１の接続を検出すると、音量値を一定値に固定するため、ユーザは、外部アンプ２側の音量を設定する必要がなくなる。このため、ユーザは、ポータブル音楽機器１側のみで音量値を設定するだけで、外部スピーカ３の音量を所望の音量に容易に設定することができる。
【０１０６】
以上説明したように、本発明の第３の実施の形態によれば、ポータブル音楽機器１に外部アンプ２が接続されたときに、外部アンプ２の音量値を一定にし、音量キー操作を禁止にすることで、音量の調整はポータブル音楽機器１側のみに依存する。これにより、ユーザがポータブル音楽機器１と外部アンプ２との両機器で音量のバランスを調整しなくても、容易に外部スピーカ３の音量を適切に調整することができる。
【０１０７】
次に、本発明の第４の実施の形態を説明する。
上記第３の実施の形態においては、ポータブル音楽機器１と外部アンプ２とを接続した場合に調整する可変量として、音量を例に挙げ、外部アンプ２側の設定を固定にしてポータブル音楽機器１側のみで調整する場合について説明した。しかし、本発明はこれに限られるものではなく、両機器で共に設定することができる他の可変量の調整にも適用することができる。
【０１０８】
そこで、第４の実施の形態においては、両機器で共に設定できる可変量の１つであるイコライザ設定を調整する場合を例に説明する。
図５は、本発明の第４の実施の形態に係るポータブル音楽機器と外部機器とを接続した可変量調整システムの構成図である。
図５においては、図４に示した第３の実施の形態に係る可変量調整システムと同一の機能を有する部分については、同一の符号を付してその説明を省略する。
【０１０９】
図５に示す可変量調整システムが、図４に示した可変量調整システムと異なる点は、音量操作部１３，２２がそれぞれイコライザ操作部１６，２６に、音量制御部１５１，２４１がそれぞれイコライザ制御部１５５，２４３になっている点である。
そして、これらイコライザ操作部１６，２６及びイコライザ制御部１５５，２４３は、図３に示した第２の実施の形態に係る可変量調整システムにおけるものと同一の機能を有するため、その説明を省略する。
【０１１０】
本実施の形態においては、共にイコライザを設定することができるポータブル音楽機器１と外部アンプ２とが接続されると、外部アンプ２側のイコライザ設定値は無効にされ、ポータブル音楽機器１側で調整されるイコライザ設定値に基づく音声が外部スピーカ３から出力される。
【０１１１】
ここで、外部スピーカ３から出力される音声は、ポータブル音楽機器１のヘッドフォン出力端子１１と外部アンプ２のライン入力端子２１とが接続されていることから、ポータブル音楽機器１のイコライザ設定値と外部アンプ２のイコライザ設定値とを掛け合わせた音声となる。
【０１１２】
しかしながら、外部アンプ２側では、ポータブル音楽機器１の接続を検出すると、イコライザ設定を無効にするため、ユーザは、ポータブル音楽機器１側のみでイコライザを設定するだけで、外部スピーカ３の音質を所望の音質に容易に設定することができる。
【０１１３】
以上説明したように、本発明の第４の実施の形態によれば、ポータブル音楽機器１と外部アンプ２とが接続された場合に、外部アンプ２のイコライザを無効、イコライザ変更のキー操作を禁止にすることにより、イコライザ変更はポータブル音楽機器１のみに依存する。これにより、外部アンプ２のイコライザのみを設定すれば、ユーザが意図した音声を外部スピーカ３より出力することができる。
【０１１４】
以上、本発明の実施の形態を説明したが、本発明を実施するにあたっては、種々の形態による変形及び応用が可能であり、上記実施の形態に限られるものではない。
例えば、上記実施の形態では、いずれも、ポータブル音楽機器を外部アンプに接続する場合について説明したが、ポータブルでなくても、例えばスピーカを備えていない音楽機器を外部アンプに接続する場合でもよい。
【図面の簡単な説明】
【０１１５】
【図１】本発明の第１の実施の形態に係るポータブル音楽機器と外部機器とを接続した可変量調整システムの構成図である。
【図２】制御信号変換テーブルのデータ構成例を示す図である。
【図３】本発明の第２の実施の形態に係るポータブル音楽機器と外部機器とを接続した可変量調整システムの構成図である。
【図４】本発明の第３の実施の形態に係るポータブル音楽機器と外部機器とを接続した可変量調整システムの構成図である。
【図５】本発明の第４の実施の形態に係るポータブル音楽機器と外部機器とを接続した可変量調整システムの構成図である。
【符号の説明】
【０１１６】
１  ポータブル音楽機器
２  外部アンプ
３  外部スピーカ
４  ステレオミニプラグケーブル
１１  ヘッドフォン出力端子
１２  音声信号出力部
１３，２２  音量操作部
１４，２３  信号増幅器
１５，２４  マイコン
１６，２６  イコライザ操作部
１７，２５  電圧変換ＩＣ
２１  ライン入力端子
１５１，２４１  音量制御部
１５２，２４４  制御信号解析部
１５３，２４５  ＡＤ変換部
１５４，２４６  制御信号変換テーブル
１５５，２４３  イコライザ制御部
１５６，２４２  接続検出部
【図１】
2006339848.tif 000003
【図２】
2006339848.tif 000004
【図３】
2006339848.tif 000005
【図４】
2006339848.tif 000006
【図５】
2006339848.tif 000007